(57)【要約】  本発明の一実施形態は、泌乳動物の乳頭を洗浄するための携帯型アプリケーター（１２９）である。携帯型アプリケーターは、少なくとも１つの消毒剤送達ライン（１４０）が中に延設されるか、少なくとも１つの電気ラインが中に延設される第１端部を含む筐体部（２０９）を有する第１筐体と、複数のギア（１８６Ａ、１８６Ｂ、１８６Ｃ）及び複数のベアリングを支持するために密閉ギアチャンバ（２１６）を有し、筐体部に連結される第２筐体（２０５）とを備える。第２筐体は、第１部分（２１３）と第１部分に当接して着脱可能に固定されるよう構成された第１部分（２１５）を備える。第２筐体は、１対の並んでいるギアの間の中心に設置された外部送達ポート（５７９）を有する。アプリケーターは、筐体部の下側に配置されたスイッチ（２３２）を備える。第２部分は、筐体部内のモータ（２３８）を連結するためのモータ取付台（６８０）を含む。【選択図】  図１５
2017500039.tif 000002
【特許請求の範囲】
【請求項１】
泌乳動物の乳頭を洗浄するための携帯型アプリケーターであって、
少なくとも１つの消毒剤送達ラインが中に延設されるか、少なくとも１つの電気ラインが中に延設される第１端部、前記第１端部の先端である第２端部、上部側、及び下部側を含む筐体部を有する第１筐体と、
複数のギア及び複数のベアリングをその中で支持するよう構成された内蔵密閉ギアチャンバを有し、前記筐体部の前記第２端部に着脱可能に連結される第２筐体と、
を備え、
前記第２筐体は、
複数のギア孔と周辺を囲む第１外周棚とを有する第１部分と、
周辺を囲む第２外周棚とモータ取付台とを有する第２部分と、を備え、
前記第２部分は、前記内蔵密閉ギアチャンバを囲でいる前記第１部分と前記第２部分のそれぞれの周辺に沿って前記第１部分に当接して着脱可能に固定されるように構成され、
前記第１及び前記第２外周棚は、少なくとも１つの消毒剤送達ラインに連結されるように構成され、前記複数のギアのうち並んでいる一対のギアの上部で、かつその間の中心に設置された外部送達ポートを有し、
前記筐体部は、
前記第２筐体の一部を、その中に受け入れるために必要とされる大きさの、後方に徐々に狭くなっている前方部と、
前記前方部に並置され、下向きに前記前方部から後方に先細りになり、前記前方部からの移行部分の下側に角度が形成されたハンドル部と、
前記前方部から前記ハンドル部への前記移行部分に、又は近接して前記筐体部の下側上に配設されたスイッチと、
前記モータ取付台に連結され、前記前方部の中に存在し、前記複数のギアを直接駆動するように構成されたモータと、
を備えることを特徴とする携帯型アプリケーター。
【請求項２】
それぞれが前記第１部分の中のそれぞれのギア孔を通してそれぞれのギアに効果的に結合されている複数のスクラビング構成要素と、
前記筐体部の前記第２端部に着脱可能に固定され、前記スクラビング構成要素を囲むように構成され、洗浄するために挿入された乳頭を通す開口部を含むブラシカバーと、
を更に備えることを特徴とする請求項１に記載の携帯型アプリケーター。
【請求項３】
前記第２筐体は、前記筐体部の前記第２端部の内径より小さな外径を有し、前記第２筐体の少なくとも一部は、前記ブラシカバーの中に配置される、ことを特徴とする請求項２に記載の携帯型アプリケーター。
【請求項４】
前記第２筐体の前記第１部分は、
前記複数のギア孔を有する複数の凹部と、
前記複数の凹部を有する内側表面と、
前記複数のスクラビング構成要素に対向する外側表面と、
ギア孔に関連しているそれぞれの凹部に設置されるように構成されたベアリングと、を備える、
ことを特徴とする請求項２に記載の携帯型アプリケーター。
【請求項５】
前記モータは、駆動軸を備え、
前記モータ取付台は、
前記第２部分の基盤を越えて持ち上がって隆起し、前記第２部分の外側に持ち上がったリングを有する中央開口部と、
前第２部分の内側に形成された記前記中央開口部を取り囲み、前記外側の基盤を越えて持ち上がった複数の皿穴凹部と、を備え、
前記中央開口部は、前記複数のギアの中央ギアとの係合のために、前記複数のギアの他のギアの２つのギアに直接トルクを加えるために、自身を通して前記駆動軸を受け入れるべく構成される、
ことを特徴とする請求項１に記載の携帯型アプリケーター。
【請求項６】
前記複数のギア又は前記ベアリングは、自滑性の材料からなる、
ことを特徴とする請求項１に記載の携帯型アプリケーター。
【請求項７】
前記筐体部の前記第２端部に近接した前記第１筐体上の光源を更に備え、
前記光源は、洗浄動作中、動物の乳頭に向けて直接照射するために、前記第１筐体の外面に対してある角度をなして配置され、
前記光源は、前記外部送達ポートに整列配置されている、
ことを特徴とする請求項１に記載の携帯型アプリケーター。
【請求項８】
前記外部送達ポートに連結されたエアラインとＹカプラを更に備え、
前記Ｙカプラは、前記少なくとも１つの消毒剤送達ラインと前記エアラインとに連結される、
ことを特徴とする請求項７に記載の携帯型アプリケーター。
【請求項９】
前記筐体部及び前記第２筐体は、前記筐体部の上部の基盤及び前記筐体部の下部の切頭頂端を伴う準三角形状を有し、前記第２筐体は、前記筐体部の前記第２端部の内側輪郭より小さい外側の周囲輪郭を有し、前記第２筐体の少なくとも１部は、前記筐体部内に配置されている、
ことを特徴とする請求項８に記載の携帯型アプリケーター。
【請求項１０】
泌乳動物の乳頭を洗浄するための携帯型アプリケーターであって、
少なくとも１つの消毒剤送達ラインが中に延設されるか、少なくとも１つの電気ラインが中に延設される第１端部、前記第１端部の先端である第２端部、上部側、及び下部側を含む筐体部を有する第１筐体と、
内蔵密閉ギアチャンバ、モータ取付台、及び前記少なくとも１つの消毒剤送達ラインに連結されるよう構成された外部送達ポートを有する第２筐体と、を備え、
前記第２筐体は、前記筐体部の前記第２端部に着脱可能に連結され、前記内蔵密閉ギアチャンバは、その中に複数のギアとベアリングを支持するように、前記複数のギアのうち並んでいる一対のギアの上部で、かつその間の中心に設置された前記外部送達ポートとともに構成され、
前記筐体部は、
前記第２筐体の一部を、その中に受け入れるために必要とされる大きさの、後方に徐々に狭くなっている前方部と、
前記前方部に並置され、下向きに前記前方部から後方に先細りになり、前記前方部からの移行部分に沿って下側に角度が形成されたハンドル部と、
前記前方部から前記ハンドル部への前記移行部分に、又は近接して前記筐体部の下側上に配設されたスイッチと、
前記モータ取付台に連結され、前記前方部の中に存在し、前記複数のギアを直接駆動するように構成されたモータと、
を備えることを特徴とする携帯型アプリケーター。
【請求項１１】
それぞれが第１部分の中のそれぞれのギア孔を通してそれぞれのギアに効果的に結合されている複数のスクラビング構成要素と、
前記筐体部の前記第２端部に着脱可能に固定され、前記スクラビング構成要素を囲むように構成され、洗浄するために挿入された乳頭を通す開口部を含むブラシカバーと、
を更に備えることを特徴とする請求項１０に記載の携帯型アプリケーター。
【請求項１２】
前記第２筐体は、
複数のギア孔及び周辺を囲む第１外周棚を有する第１部分と、
周辺を囲む第２外周棚を有する第２部分と、を備え、
前記第２部分は、前記内蔵密閉ギアチャンバを囲でいる前記第１部分と前記第２部分のそれぞれの周辺に沿って前記第１部分に当接して着脱可能に固定されるように構成され、
前記第１及び第２外周棚は、前記外部送達ポートを有する、
ことを特徴とする請求項１０に記載の携帯型アプリケーター。
【請求項１３】
前記モータは、駆動軸を備え、
前記モータ取付台は、
前記第２部分の基盤を越えて持ち上がって隆起し、前記第２部分の外側に持ち上がったリングを有する中央開口部と、
前第２部分の内側に形成された記前記中央開口部を取り囲み、前記外側の基盤を越えて持ち上がった複数の皿穴凹部と、を備え、
前記中央開口部は、前記複数のギアの中央ギアとの係合のために、前記複数のギアの他のギアの２つのギアに直接トルクを加えるために、自身を通して前記駆動軸を受け入れるべく構成される、
ことを特徴とする請求項１２に記載の携帯型アプリケーター。
【請求項１４】
前記複数のギア、又は前記ベアリングは、自滑性の材料からなる、
ことを特徴とする請求項１０に記載の携帯型アプリケーター。
【請求項１５】
前記筐体部の前記第２端部に近接した前記第１筐体上の光源を更に備え、
前記光源は、洗浄動作中、動物の乳頭に向けて直接照射するために、前記第１筐体の外面に対してある角度をなして配置され、
前記光源は、前記外部送達ポートに整列配置されている、
ことを特徴とする請求項１０に記載の携帯型アプリケーター。
【請求項１６】
泌乳動物の乳頭を洗浄するための携帯型アプリケーターであって、
少なくとも１つの消毒剤送達ラインが中に延設されるか、少なくとも１つの電気ラインが中に延設される第１端部、前記第１端部の先端である第２端部、上部側、及び下部側を含む筐体部を有する第１筐体と、
その中に複数のギアとベアリングを支持するように構成された内蔵密閉ギアチャンバを有し、前記筐体部の前記第２端部に着脱可能に連結された第２筐体と、を備え、
前記第２筐体は、
複数のギア孔及び周辺を囲む第１外周棚を有する第１部分と、
周辺を囲む第２外周棚を有する第２部分と、
前方部からハンドル部への移行部分に、又は近接して前記筐体部の下側上に配設されたスイッチと、を備え、
前記第２部分は、前記内蔵密閉ギアチャンバを囲でいる前記第１部分と前記第２部分のそれぞれの周辺に沿って前記第１部分に当接して着脱可能に固定されるように構成され、
前記第１及び第２外周棚は、前記少なくとも１つの消毒剤送達ラインに連結されるよう構成され、前記複数のギアのうち並んでいる一対のギアの上部で、かつその間の中心に設置されたた外部送達ポートを有する、
ことを特徴とする携帯型アプリケーター。
【請求項１７】
それぞれが前記第１部分の中のそれぞれのギア孔を通してそれぞれのギアに効果的に結合されている複数のスクラビング構成要素と、
前記筐体部の前記第２端部に着脱可能に固定され、前記スクラビング構成要素を囲むように構成され、洗浄するために挿入された乳頭を通す開口部を含むブラシカバーと、
を更に備えることを特徴とする請求項１６に記載の携帯型アプリケーター。
【請求項１８】
前記第２筐体は、前記筐体部の前記第２端部の内径より小さな外径を有し、前記ブラシカバーの内径より小さく、前記第２筐体の少なくとも一部は、前記ブラシカバー内に配置されている、ことを特徴とする請求項１７に記載の携帯型アプリケーター。
【請求項１９】
前記筐体部は、
前記第２筐体の一部を、その中に受け入れるために必要とされる大きさの、後方に徐々に狭くなっている前方部と、
前記前方部に並置され、下向きに前記前方部から後方に先細りになり、前記前方部からの移行部分に沿って下側に角度が形成されたハンドル部と、
を備えることを特徴とする請求項１６に記載の携帯型アプリケーター。
【請求項２０】
前記筐体部の前記第２端部に近接した前記第１筐体上の光源を更に備え、
前記光源は、洗浄動作中、動物の乳頭に向けて直接照射するために、前記第１筐体の外面に対してある角度をなして配置され、
前記光源は、前記外部送達ポートに整列配置されている、
ことを特徴とする請求項１６に記載の携帯型アプリケーター。
【請求項２１】
前記外部送達ポートに連結されたエアラインとＹカプラを更に備え、
前記Ｙカプラは、前記少なくとも１つの消毒剤送達ラインと前記エアラインとに連結される、
ことを特徴とする請求項２０に記載の携帯型アプリケーター。
【発明の詳細な説明】
【技術分野】
【０００１】
本出願は、２０１３年１２月２０日に出願され、発明の名称「泌乳動物の乳頭を洗浄するためのシステムにおける携帯型アプリケーター」、米国仮特許出願第６１／９１９、１２８号に対する優先権を主張するものであり、その記載内容全体を援用する。
【背景技術】
【０００２】
ここで実施形態は、泌乳動物の乳頭を洗浄するために用いられるシステムと方法に関する。より具体的には、本実施形態は、泌乳動物の乳頭を洗浄するために消毒液の供給に殺菌性のアプリケーターを利用するそれらのシステムで用いられる携帯型アプリケーターに関する。
【０００３】
乳頭を洗浄にするために洗浄液と組み合わせて回転ブラシを利用するシステムが利用可能である。このようなシステムの１つは、米国特許第８、４０２、９２０号及び第８、５５５、８１１号に開示されており、この出願の譲受人に譲渡される。このようなシステムは、３本の回転ブラシを有する携帯型アプリケーターを含むこともある。この場合、これらのうちの２本は、乳頭の基部をスクラブ／洗浄するために回転し、また、第３のブラシは、乳頭の先端をスクラブ／洗浄するために配置される。これらのアプリケーターは、消毒剤ソースと連通しており、ブラシが回転して乳頭をスクラブする際に、消毒剤がアプリケーターに供給される。これらのアプリケーターは、この溶液ソースに対して、遠隔操作されてもよい。
【０００４】
これら乳頭洗浄システムは、また、通常、高い位置から吊るされたモータと、該モータから携帯型アプリケーターに延びる柔軟な駆動軸とを含む。柔軟な駆動軸は、作動的にギアに接続され、次いで、乳頭を洗浄する動作中、ブラシを回転するためにブラシに作動的に接続される。
【０００５】
乳頭を洗浄する一対のブラシは、ブラシの毛の間に乳頭を導くために、経路を提供するために配置される。洗浄液の液体特性は、残屑と溶液を、残屑の蓄積の原因となるギア筐体に浸透させることを可能としている。ブラシは、ブラシの基部とギアとの間の係合された接続によって回転する。残屑がギアとブラシの基部との周りに堆積すると、ブラシの回転のパフォーマンスに影響を与え始める。ある場合には、ブラシは、ぐらつき始めることになる。このぐらつきは、乳頭刺激、包括的な乳頭健全性、及びミルク産出をもたらす、泌乳動物の乳頭への安心感が減少するように進行することになる。更に、柔軟な駆動軸は、比較的に重く、延長された期間を超えて洗浄する間、用いられるとオペレータを疲労させるので、人間工学的に限定されるように見える。
【０００６】
ミルクの産出は、適当な乳首刺激と洗浄で最適化される。不適切な洗浄は、付加的な処理を要求してミルクを汚染する原因となるか、いくつかの事例では、ミルクを廃棄することになる。泌乳動物、例えば乳牛は、生産を増やすために、１日につき数回搾乳されることになる。しかるに、乳頭損傷又は感染症を予防するためにケアがされる。泌乳動物の乳頭刺激は、オキシトシン放出と降下のための前駆である。よって、洗浄と乾燥サイクルの間、乳頭損傷と不快感を予防することは、ミルク生産量のために乳頭の包括的な刺激にとって重要になる。
【発明の概要】
【０００７】
実施形態は、泌乳動物の乳頭を洗浄するための携帯型アプリケーターである。携帯型アプリケーターは、少なくとも１つの消毒剤送達ラインが中に延設されるか、少なくとも１つの電気ラインが中に延設される第１端部、第１端部の先端である第２端部、上部側、及び下部側を含む筐体部を有する第１筐体と、内蔵密閉ギアチャンバを有する第２筐体とを備える。第２筐体は、筐体部の第２端部に着脱可能に連結され、内蔵密閉ギアチャンバは、第２筐体内で、複数のギア及び複数のベアリングをその中で支持するよう構成される。第２筐体は、複数のギア孔と周辺を囲む第１外周棚とを有する第１部分と、周辺を囲む第２外周棚とモータ取付台とを有する第２部分と、を備え、第２部分は、内蔵密閉ギアチャンバを囲でいる第１部分と第２部分のそれぞれの周辺に沿って第１部分に当接して着脱可能に固定されるように構成される。第１及び第２外周棚は、少なくとも１つの消毒剤送達ラインに連結されるように構成された、複数のギアのうち並んでいる一対のギアの上部で、かつその間の中心に設置された外部送達ポートを有する。筐体部は、第２筐体の一部を、その中に受け入れるために必要とされる大きさの、後方に徐々に狭くなっている前方部と、前方部に並置され、下向きに前方部から後方に先細りになり、前方部からの移行部分の下側に角度が形成されたハンドル部とを備える。アプリケーターは、前方部からハンドル部への移行部分に、又は近接して筐体部の下側上に配設されたスイッチと、モータ取付台に連結され、前方部の中に存在し、複数のギアを直接駆動するように構成されたモータとを備える。
【０００８】
本実施形態の他の態様は、泌乳動物の乳頭を洗浄するための携帯型アプリケーターを含む。携帯型アプリケーターは、少なくとも１つの消毒剤送達ラインが中に延設されるか、少なくとも１つの電気ラインが中に延設される第１端部、第１端部の先端である第２端部、上部側、及び下部側を含む筐体部を有する第１筐体と、内蔵密閉ギアチャンバ、モータ取付台、及び少なくとも１つの消毒剤送達ラインに連結されるよう構成された外部送達ポートを有する第２筐体とを備える。第２筐体は、筐体部の第２端部に着脱可能に連結され、内蔵密閉ギアチャンバは、複数のギアのうち並んでいる一対のギアの上部で、かつその間の中心に設置された外部送達ポートとともに、その中に複数のギアとベアリングを支持するように構成される。筐体部は、第２筐体の一部を、その中に受け入れるために必要とされる大きさの、後方に徐々に狭くなっている前方部と、前方部に並置され、下向きに前方部から後方に先細りになり、前方部からの移行部分に沿って下側に角度が形成されたハンドル部とを備える。アプリケーターは、前方部からハンドル部への移行部分に、又は近接して筐体部の下側上に配設されたスイッチと、モータ取付台に連結され、前方部の中に存在し、複数のギアを直接駆動するように構成されたモータとを備える。
【０００９】
本実施形態のさらなる態様は、泌乳動物の乳頭を洗浄するための携帯型アプリケーターを含む。携帯型アプリケーターは、少なくとも１つの消毒剤送達ラインが中に延設されるか、少なくとも１つの電気ラインが中に延設される第１端部、第１端部の先端である第２端部、上部側、及び下部側を含む筐体部を有する第１筐体と、内蔵密閉ギアチャンバを有する第２筐体とを備える。第２筐体は、筐体部の第２端部に着脱可能に連結され、内蔵密閉ギアチャンバは、第２筐体内で、複数のギアとベアリングを支持するように構成される。第２筐体は、複数のギア孔及び周辺を囲む第１外周棚を有する第１部分と、周辺を囲む第２外周棚を有する第２部分とを備え、第２部分は、内蔵密閉ギアチャンバを囲でいる第１部分と第２部分のそれぞれの周辺に沿って第１部分に当接して着脱可能に固定されるように構成される。第１及び第２外周棚は、少なくとも１つの消毒剤送達ラインに連結されるよう構成され、複数のギアのうち並んでいる一対のギアの上部で、かつその間の中心に設置されたた外部送達ポートを有する。アプリケーターは、前方部から前記ハンドル部への移行部分に、又は近接して筐体部の下側上に配設されたスイッチを備える。
【図面の簡単な説明】
【００１０】
以下、添付図面に示した特定の実施形態を参照して本発明のより具体的な説明を記載する。これらの図面は、本発明の代表的な実施形態しか示していないので、発明の範囲を限定すると見なしてはならないと理解した上で、以下詳細な説明及び添付図面を参照し、本発明の実施例について更に具体的かつ詳細に説明する。
【００１１】
【図１】図１は、乳頭を洗浄するためのシステムの概略図である。
【００１２】
【図２】図２は、携帯型アプリケーターの斜視図である。
【００１３】
【図３Ａ】図３Ａは、図２の携帯型アプリケーターの分解立体図である。
【００１４】
【図３Ｂ】図３Ｂは、代替の実施形態の携帯型アプリケーターの分解立体図である。
【００１５】
【図４】図４は、密閉ギア筐体、ギア、及びモータの一部分解立体図である。
【００１６】
【図５Ａ】図５Ａは、第１ギア筐体部の第１、第２側面の斜視図である。
【図５Ｂ】図５Ｂは、第１ギア筐体部の第１、第２側面の斜視図である。
【００１７】
【図６Ａ】図６Ａは、第２ギア筐体部の第１、第２側面の斜視図である。
【図６Ｂ】図６Ｂは、第２ギア筐体部の第１、第２側面の斜視図である。
【００１８】
【図７】図７は、携帯型アプリケーターの筐体部に挿入された密閉ギア筐体の端部の斜視図である。
【００１９】
【図８】図８は、第１ギア筐体部を取り除いた、携帯型アプリケーターの筐体部に挿入された密閉ギア筐体の端部の斜視図である。
【００２０】
【図９】図９は、密閉ギア筐体を取り除いた、ブラシとギアの端部の斜視図である。
【００２１】
【図１０Ａ】図１０Ａは、携帯型アプリケーターのブラシカバーの前端部の斜視図である。
【図１０Ｂ】図１０Ｂは、携帯型アプリケーターのブラシカバーの後端部の斜視図である。
【００２２】
【図１１】図１１は、統合ケーブルの略図である。
【００２３】
【図１２】図１２は、複数のギアと複数のブラシの略図である。
【００２４】
【図１３Ａ】図１３Ａは、ブラシ・シャンクから抜かれたギアの斜視図である。
【図１３Ｂ】図１３Ｂは、ブラシ・シャンクに装着されるギアの斜視図である。
【００２５】
【図１４】図１４は、ギアに回転可能に取り付けられたブラシと、図１３Ｂのギアアッセンブリの断面図である。
【００２６】
【図１５】図１５は、ブラシカバー部、筐体部、及び切り離された密閉ギア筐体とともに携帯型アプリケーターの一部断面図である。
【発明を実施するための形態】
【００２７】
実施形態は、米国特許番号２０１０年９月１６日に出願した第８４０２９２０号に開示された、泌乳動物の乳頭を洗浄するシステムと方法と類似する構成要素とプロセスを含み、以下に完全に明らかにするように参照によってここに組み込まれる本アプリケーションの譲受人に譲渡される。
【００２８】
先に簡潔に記載した実施形態のより個別の記載は、添付の図面中で説明するその具体的な実施形態を参照することにより表現される。これらの図面は、本発明の典型的な実施形態のみを表しているため、この範囲を制限すると考えるべきではないことを理解して、本発明を記述し説明する。
【００２９】
図１に関して、泌乳動物の乳頭を洗浄するためのシステム１００の概略図が示される。示されるように、システム１００は、搾乳室内に配置された１つ以上の携帯型アプリケーターに遠隔ステーション１１２’を介して消毒剤を届けるように、また、泌乳動物の乳頭を洗浄するように構成される。遠隔ステーション１１２’は、柔軟なケーブル１９８によって携帯型アプリケーター１２６と通信する、１つ以上の消毒剤源１２３、消毒剤送達（ＤＤ；disinfectant delivery）システム１０１、コントローラ２３０、及び圧縮機１４３を備える。遠隔ステーション１１２’は、１つ以上の携帯型アプリケーター１２６と流体フロー通信にあり、携帯型アプリケーター１２６の各々は、それぞれの柔軟なケーブル１９８に接続されている。ＤＤシステム１０１は、後で更に詳細に説明される送達ライン１４０を介して携帯型アプリケーターに溶液を送達するために、１つ以上のソレノイド・バルブ１３９と少なくとも１つのポンプ１４２を含む。実施形態において、ポンプは、流体駆動ポンプ又は電気ポンプを含んでもよい。図１に更に示されるように、ＤＤ１０１は、消毒液の濃縮形態を希釈するために水源１３６に接続されている。この場合、ＤＤ１０１は、携帯型アプリケーター１２６への水の流れを制御することを、ソレノイド・バルブのような、１つ以上のバルブ１３９に要求する。希釈目的のために水源へのアクセスを要求することなく、システム１００が「すぐに使える」溶液とともに用いることが想定される。
【００３０】
消毒剤源１２３は、消毒剤１２３ａとともに容器を備えてもよい。非限定的な例として、消毒剤１２３ａは、水溶性の消毒液でもよい。水溶性の消毒液は、水溶性の二酸化塩素を備え得る。本実施形態において、水溶性の消毒液は、水のそれと実質的に等しい蒸気圧、又は粘度を有する。しかしながら、本実施形態はそれに限定されない。ここで、本実施形態は、他の塩素含有又は塩素ベース溶液を含むが、これに限らず他の消毒剤、又は泌乳動物の乳頭を洗浄する際に有効である何らかの他の消毒剤を含み得る。「１９８０年以降に公表されたプレ搾乳とポスト搾乳乳頭消毒剤に関する査読出版物の要約（Summary of Peer-Reviewed Publications on Efficacy of Premilking and Postmilking Teat Disinfectants Published Since 1980）」は、全国乳腺炎会議（National Mastitis Council；NMC）によって毎年出版され、乳頭消毒剤と有効性の多様性を提供する。
【００３１】
図２を参照すると、携帯型アプリケーター１２６の斜視図が示される。携帯型アプリケーター１２６は、ハンドル１８０を伴うアプリケーター筐体１２７を備える。筐体１２７は、ブラシカバー１８４を備える。アプリケーター１２６は、別々の密閉されたギア筐体２０５に接続された、内蔵ダイレクト駆動モータ２３８（図１）を備え、その両方は筐体１２７に収容される。密閉されたギア筐体２０５は、以下で更に詳細に説明される。モータ２３８（図１）は、スイッチ２３２の起動に応じて、ギア１８８（図１）によってブラシカバー１８４内で複数のブラシ１８６を回転させるのに適合させた駆動軸１９０（図１）を含む。アプリケーター１２６は、スイッチ２３２の作動に応じて起動する光源１６０を含む。
【００３２】
ケーブル１９８は、柔軟で絶縁された統合ケーブルを備える。統合ケーブル１９８は、少なくとも１つの消毒剤送達（ＤＤ）ライン１４０、少なくとも１つのエアライン１４１、及び少なくとも１本の電気ライン１９６を含む。柔軟なケーブル１９８の１つの端部は、アプリケーター１２６のハンドル１８０に接続される。ＤＤライン１４０及びエアライン１４１は、ネオプレイン（neoprene；登録商標）又はサントプレーン（santoprene；登録商標）からなり、約０．１７インチの内径を有する。一実施形態において、少なくとも１つのＤＤライン１４０と少なくとも１つのエアライン１４１は、更に後で詳細に検討されるように、単一のチューブに一緒に詰め込まれる。あるいは、ケーブル１９８は、少なくとも１つのエアライン１４１を含む、１つ又はそれ以上のラインを省略してもよい。
【００３３】
図１１は、統合ケーブル１９８の略図である。統合ケーブル１９８は、ＤＤライン１４０とエアライン１４１を受ける中央開口部２３１を含む。ケーブル１９８は、少なくとも１つの電気ライン１９６を受けるための複数の開口部２３３を含む。複数の開口部２３３は、中央開口部２３１の周囲に間隔を空けて設けられている。複数の開口部２３３は、中央開口部２３１と統合ケーブル１９８の絶縁ケース２３７との間に配置される。中央開口部２３１は、少なくとも１つのＤＤライン１４０と少なくとも１つのエアライン１４１のための単一チューブと一致する。あるいは、ケーブル１９８は、少なくとも１つのエアライン１４１を省略してもよい。
【００３４】
図１１を参照すると、少なくとも１つの電気ライン１９６は、アプリケーター１２６のスイッチ２３２に対する電流ライン及び接地ラインとして構成される、第１及び第２電気ライン２４３、２４５を含む。少なくとも１つの電気ライン１９６は、アプリケーター１２６のモータ２３８に対する電流ライン及び接地ラインとして構成される、第３及び第４電気ライン２４７、２４９を含む。少なくとも１つの電気ライン１９６は、スイッチ２３２から信号を受信するための入力信号ライン２５１を含む。少なくとも１つの電気ライン１９６は、スイッチ２３２を押下することに応じて機動する、アプリケーター１２６上の光源１６０に電流を供給するための光信号ライン２５３を含む。
【００３５】
一実施形態において、統合ケーブル１９８は、中央開口部２３１を囲んでいる、２−１６ＡＷＧ（米国ワイヤーゲージ；Ａｍｅｒｉｃａｎ  ｗｉｒｅ  ｇａｕｇｅ）及び５−１８ＡＷＧ電気導体を含む。中央開口部２３１は、約１／４インチの内径を有し、ケーブル１９８の外径は、約０．６５インチである。しかしながら、これらの特定の寸法と導体配線配置は、統合ケーブル１９８がどうように組み立てられるかの単に一例であり、統合ケーブル１９８が、空気、消毒剤、及び電気信号をアプリケーター１２６に伝達すことができる場合には、統合ケーブル１９８は、これら特定の寸法と導体配線配置に限定されない。
【００３６】
再び、図１に戻ると、システム１００は、洗浄サイクルと乾燥サイクルとを有するように構成される。洗浄サイクルと乾燥サイクルは、残屑と他の汚染物質を取り除き、泌乳動物によるミルク排出のために要求される乳頭刺激を引き起こす。洗浄サイクルの間、消毒剤１２３ａは、ブラシ１８６の方向で、かつ乳頭に向けて、ブラシカバー１８４内にＤＤライン１４０で届けられる。同様に、洗浄サイクルの間、ブラシ１８６は回転する。
【００３７】
乾燥サイクルの間、消毒剤１２３ａの送達は、ＤＤシステム１０１によって中断される。しかしながら、乾燥サイクルの間、ブラシ１８６は回転し続け、エアライン１４１の空気ストリームは、乳頭とブラシ１８６の方に向けて、ブラシカバー１８４内に届けられ、また、回転するブラシ１８６の組み合わせと、エアライン１４１の空気ストリームの送達は実行される。
【００３８】
洗浄サイクルは、直ちにより詳細に説明される。洗浄サイクルの間、コントローラ２３０は、携帯型アプリケーター１２６に消毒剤１２３ａの供給を引き渡すためにＤＤシステム１０１を制御する。あるいは、ＤＤシステム１０１は、点線で示されるライン１９６を介してスイッチ２３２の操作によって始動される。点線は、任意の機能を表す。
【００３９】
ＤＤシステム１０１は、ＤＤライン１４０でアプリケーター１２６に消毒剤１２３ａをある量届けるために、１つ以上のソレノイド・バルブ１３９及び／又は少なくとも１つのポンプ１４２を作動させる。加えて、コントローラ２３０は、ソレノイド・バルブ１３９及び／又はポンプ１４２を起動すべく、スイッチ２３２の起動に応じてＤＤシステム１０１の動作を制御するためにプログラムされる。
【００４０】
（濃縮された）消毒剤が送達されているか、消毒剤源１２３から吸い上げられているとき、消毒剤は、所定の溶液比に消毒剤を希釈するために、液体又は水源１３６からの水に混合される。ソレノイド・バルブは、ターンオン、遮断、投薬、配布、又は混合の１つ以上を実行する。あるいは、ＤＤシステム１０１は、液体、又は水源１３６からの水に非水溶性消毒剤を混合、又は水和させてもよい。
【００４１】
洗浄サイクルの間、ブラシ１８６の回転は、例えば、限定されないが、スイッチ２３２の起動に応じて、ブラシカバー１８４内に送達するために、アプリケーター１２６への消毒剤１２３ａの送達と同時に開始される。更に、乾燥サイクルの間、コントローラ２３０は、アプリケーター１２６への圧縮空気の送出を始動するようにプログラムされる。圧縮空気は、乳頭の方に空気を向けるように制御され、洗浄された乳頭を乾燥させるのをアシストする。圧縮空気は、乳頭の皮膚から、汚物をほぐしたり、水溶性タイプの消毒剤を乾燥させたり、非水溶性の消毒剤のリフティング／除去をアシストするために、乳頭のほうに噴射されてもよい。汚物の分離、消毒剤のリフティング及び／又は乾燥は、汚物及び／又は消毒剤に作用している重力の作用であってもよい。
【００４２】
空気は、乳頭を洗浄している間、毛羽立てたブラシ毛上の付着している汚物を取り除く。ブラシから取り除かれた汚物は、重力によってアプリケーターの筐体１２７を出る。空気は、ブラシカバー１８４の内面を乾燥させる役目を果たす。例えば、動物の間を歩いている間、結局のところ、乾燥サイクルは、ブラシカバー１８４内に空気を印加するために用いられる。
【００４３】
図１に示すように、ポンプ１４２は、少なくとも１つの消毒剤送達（ＤＤ）ライン１４０に消毒剤源１２３から消毒剤１２３ａを汲み上げるために構成される。更に、図１に示されるように、圧縮機１４３は、コントローラ２３０に応じてエアライン１４１を介して圧縮空気を送達するために構成される。一実施形態において、ＤＤライン１４０及びエアライン１４１は、消毒剤又は空気流が、同時ではなく、カプラ２５９を通って流れるように、例えばＹ−カプラのようなカプラ２５９に結合されている。更に、スイッチ２３２が押下されているか、第１のスイッチ状態にある間、ＤＤシステム１０１は、動作状態にあり、ＤＤライン１４０内の消毒剤１２３ａの伝達は、コントローラ２３０の制御の下の所定時間の間、又はスイッチ２３２の状態が変化するまで、継続する。第１のスイッチ状態は、スイッチ２３２のＯＮ位置に一致し、第２のスイッチ状態は、ＯＦＦ位置に一致する。限定されない実施例によれば、押下されたスイッチは、ＯＮ位置、又は第１のスイッチ状態にある。スイッチ２３２の解放に応じて、スイッチ２３２は、ＯＦＦ位置、又は第２のスイッチ状態となる。加えて、乾燥サイクルの間、コントローラ２３０は、エアライン１４１に沿って圧縮機１４３からの圧縮空気の送出を始動するために圧縮機１４３に結合される。圧縮機は、アプリケーター１２６に空気を送達するために、コントローラ２３０の制御の下、乾燥サイクルの間、起動される。
【００４４】
一実施形態において、コントローラ２３０は、スイッチ２３２が押下されるか、作動されると、入力信号ライン２５１がスイッチ２３２からコントローラ２３０に信号を送信するようにプログラムされる。呼応して、消毒剤１２３ａは、続いて、ＤＤシステム１０１によって、消毒剤源１２３からアプリケーター１２６内の容積に送達される。容積には、ブラシカバー１８４を含んでもよい。加えて、押下されるか、作動されるスイッチ２３２に応じて、圧縮空気が、圧縮機１４３からブラシ１８６で占有されるアプリケーター１２６内の容積に送達される。加えて、電気信号が、電気ライン１９６に沿って、アプリケーター１２６内の、ダイレクト駆動モータ２３８、スイッチ２３２、及び光源１６０に送達される。スイッチ２３２が作動する限り、消毒剤は、アプリケーター１２６、及び回転しているブラシ１８６に送達される。コントローラ２３０は、スイッチ２３２が解放されると、ＤＤシステム１０１が非能動化するようにプログラムされる。
【００４５】
上述した実施形態では、コントローラ２３０が、スイッチ２３２が押下されている間、消毒剤１２３ａ、圧縮空気、及び電気信号の１つ以上の送出を制御すると説明したが、実施形態は、この構成に限定されず、コントローラ２３０が、例えば、スイッチ２３２が所定の時間の間、押下されて解放され、その後、ＤＤシステム１０１が非能動化されると、消毒剤１２３ａの送出を制御する代替スイッチ実施形態が提供されてもよい。
【００４６】
消毒剤１２３ａの送達が中断された後、ブラシ１８６が所定の持続時間の間、回転し続けるように、コントローラ２３０は、遅れてプログラムされる。一実施形態において、時間遅延は、消毒剤１２３ａの適用の後、回転ブラシ１８６が乳頭を部分的に乾燥させるために用いられるように、約４〜約７秒である。一実施形態において、コントローラ２３０は、遅延の間、ブラシ１８６が回転し続け、圧縮機１４３がエアライン１４１を通してアプリケーター１２６に圧縮空気を送達するようにプログラムされる。このため、圧縮空気、及び回転ブラシ１８６は、消毒剤１２３ａの適用後、乳頭を乾燥させるために用いられる。上述した実施形態では、スイッチ２３２が押下されることに基づいて作動するというトリガー設計を使うスイッチ２３２を説明したが、スイッチはこの設計に限定されず、筐体１２７内に配設され、水の侵入を防ぐべく筐体２１１内に封入された非接触近接スイッチを含んでもよい。
【００４７】
１つ以上の携帯型アプリケーター１２６は、複数の泌乳動物、例えば、搾乳するために搾乳室に集められた乳牛の乳頭を洗浄及び消毒するために、搾乳室内に配置される。携帯型アプリケーター１２６は、更に詳細に以下で説明される。
【００４８】
図３Ａを参照すると、図２の携帯型アプリケーター１２６の分解図が示される。図３Ａに明示されるように、アプリケーター筐体１２７（図２）は、（図７、９、及び図１３Ａ〜図１３Ｂに明示されるように）ブラシ１８６Ａ、１８６Ｂ、１８６Ｃのためのブラシカバー１８４、及び内蔵ダイレクト駆動モータ２３８のための筐体部２０９を含む。分離密閉ギア筐体２０５は、（図８に明示されるように）ギア１８８Ａ、１８８Ｂ、１８８Ｃ、及び１８８Ｄを収容するために構成される。ブラシカバー１８４、筐体部２０９、及び密閉ギア筐体２０５は、内蔵密閉ギアチャンバ２１６（図１５）で構成されている密閉ギア筐体２０５とともにアプリケーター筐体１２７を形成すべく一緒に結合される。筐体部２０９は、上部側ＴＳと下部側ＵＳを含む。ブラシカバーは、ストラップ、紐（ｔｉｅ）、又は係留部１２８（図２）によって一緒に連結される。非限定的な例として、係留部１２８は、例えば、ブラシカバー１８４と筐体部２０９を、係留部１２８の弾性特性によって生成された弾性力又は圧縮力の下、互いに圧することによって筐体部を一緒に保持するために、弾力性を有する強力なゴムバンドを含む。強力なゴムバンドを取り除くことは、ブラシと筐体部の清掃と取り外すために急速脱着を提供する。ゴムバンドタイプの係留部は単に一例である。あるいは、ストラップは、少なくとも１つのピラー１７５に被せることができる末端部に鳩目とともに用いられてもよい。ストラップは、ブラシカバー１８４と筐体部２０９の表面が、並置、及び／又は地対地接触となるように、ブラシカバー１８４と筐体部２０９を一緒に縛り付ける。
【００４９】
少なくとも１つのピラー１７５は、ブラシカバー１８４と筐体部２０９の面に近接して配置される。
【００５０】
限定しない例として、更になる実施形態において、ブラシカバー１８４と筐体部２０９の結合は、他の固定手段を含んでもよい。
【００５１】
筐体部２０９は、密閉ギア筐体２０５とモータ２３８を受容するために必要な大きさを有する前方部２２１を含む。筐体部２０９の前方部２２１の後端部は、筐体部２０９のハンドル部２２２と一体化される。ハンドル部２２２は、下方向に後方に先細りになっている。筐体部２０９が先細りであるので、筐体部２０９の周囲は徐々に狭くなっている。徐々に先細りになり、かつ狭くなっている外周部（以下、「ハンドル部２２２」という）は、ユーザが操作中、ハンドル１８０を握るようなハンドル１８０の役目を果たす。ハンドル部２２２は、ケーブルコネクタ１９９で終端する。
【００５２】
説明を簡単にするために、少なくとも１つのＤＤライン１４０、少なくとも１つのエアライン１４１、少なくとも１つのエアライン１４１、及び少なくとも１つの電気ライン１９６は図３Ａから省略される。
【００５３】
筐体部２０９は、前方部２２１からハンドル部２２２までのトランジションＴＡに生成される下部側ＵＳに沿って、屈曲部又は湾曲部を含む。一実施形態において、トランジションＴＡで、ある角度が、下部側ＵＳに沿って、前方部２２１とハンドル部２２２の間に形成される。図示するように、前方部２２１とハンドル部２２２の間の角度は、鈍角を形成してもよい。理解できるように、限定されることなく、直角のような他の角度が用いられてもよい。スイッチ２３２は、前方部２２１からハンドル部２２２までのトランジションＴＡに、又は近接させて、筐体部２０９の下部側ＵＳに沿って配置される。
【００５４】
図３Ａに明示されるように、筐体部２０９は、第１及び第２筐体部品２１１Ａ、２１１Ｂを備えている。第１及び第２筐体部品２１１Ａ、２１１Ｂは、複数の留め具２１７によって一緒に固定されるように構成される。第１及び第２筐体部品２１１Ａ、２１１Ｂは、一体筐体構造を形成するために一緒に係合される。
【００５５】
第１及び第２筐体部品２１１Ａ、２１１Ｂは、留め具２１７を受けるための留め具孔２１９（図２）を含む。留め具は、留め具部２１８に連結される。一実施形態において、留め具部２１８は、ネジ切られた経路を含んでよく、留め具２１７は、ネジを含んでもよい。ネジが留め具部２１８にネジ込まれると、留め具２１７は、第１及び第２筐体部品２１１Ａ、２１１Ｂを固定する。理解できるように、アプリケーター１２６内の内部の構成部品にアクセスために、留め具のネジを抜くことで、第１及び第２筐体部品２１１Ａ、２１１Ｂが分離することを可能にしている。よって、筐体部２０９内に収容された内部の構成部品は、必要に応じて、取り外され、置き換えられ、及び／又は清掃される。
【００５６】
有線コネクタ１９９は、第１及び第２筐体部品２１１Ａ、２１１Ｂの間に半分に分割可能な鍔を含む。加えて、第１筐体部品２１１Ａ上の鍔部１９９はリングを含む。第１及び第２筐体部品２１１Ａ、２１１Ｂ上の鍔部１９９は、より密着して固定される。
【００５７】
他の実施形態において、筐体部１０９は、一体でもよいが、内部の構成部品の１つ以上が取り外され、置き換えられ、及び／又は清掃されてもよいように、アクセスポートを提供してもよい。
【００５８】
筐体部２０９は、以下で説明される、密閉ギア筐体２０５内の対応孔５７８（図５Ａ）に合わせて配置した位置に、前方部２２１の開口部の周囲に複数の留め具部２４０（図９）を含む。分離密閉ギア筐体２０５は、留め具部２４０内にネジを切り、ネジ切られたネジ（図示せず）で筐体部２０９に固定される。一実施形態において、留め具部のいくつかは（図示せず）、第１筐体部品２１１Ａに一体的に形成されてもよく、留め具部２４０の他は、第２筐体部品２１１Ｂに一体的に形成されてもよい。説明を簡単にするために、留め具部２４０のための留め具は示されない。固定するための留め具。
【００５９】
ここで、図３Ｂを参照すると、代替の実施形態の携帯型アプリケーター１２６’の分解図が示されている。図３Ｂは、図３Ａと類似である。それ故に、相違点についてのみ説明する。図３Ｂの実施形態において、第１及び第２筐体部品２１１Ａ’、２１１Ｂ’は、各々、１つ以上のリブ２５７Ａ、２５７Ａを含む。第１及び第２筐体部品２１１Ａ’、２１１Ｂ’が一緒に係合されるとき、モータ２３８が１つ以上のリブ２５７Ａ、２５７Ｂ内に抱きかかえられるように、リブは、へこむように構成される。一実施形態において、１つ以上のリブの構成は、モータ２３８’の筐体の周囲を締め付けるようにしてもよい。締め付けることによる特徴は、モータ２３８’を安定化する。
【００６０】
分離密閉ギア筐体２０５は、図４、図５Ａ、図５Ｂ、図６Ａ、及び図６Ｂに関してより詳細に説明される。図４は、密閉ギア筐体、ギア、及びモータの一部分解図である。図４及び図１５に示されるように、密閉ギア筐体２０５は、図１５に明示されるように、内部密閉ギアチャンバ２１６を形成するように、一緒に結合すべく当接して嵌合して位置決めされる、第１ギア筐体部２１３及び第２ギア筐体部２１５を含む。
【００６１】
図５Ａ及び図５Ｂは、第１ギア筐体部２１３の第１側面及び第２側面図である。第１ギア筐体部２１３の第１側面図は、密閉ギア筐体２０５の内側面に相当する。第１ギア筐体部２１３の第２側面図は、密閉ギア筐体２０５の外側面に相当する。内側面は、内蔵密閉ギアチャンバ２１６内に配置される。
【００６２】
第１ギア筐体部２１３は、基盤５１０を含み、該基板３１０は、その中に形成された複数の凹部５８８Ａ、５８８Ｂ、５８８Ｃ、及び５８８Ｄを有する。図５Ｂの第２側面図から分かるように、凹部５８８Ａ、５８８Ｂ、５８８Ｃ、及び５８８Ｄは、基盤５１０の面を越えて突出している。凹部５８８Ａ、５８８Ｂ、及び５８８Ｃは、各々、ベアリング２２３、２２５、及び２２７をその中に抱きかかえる深さプロフィールを有する。凹部５８８Ａ、５８８Ｂ、及び５８８Ｃの各々は、表面５９１Ａ、５９１Ｂ、及び５９１Ｃのそれぞれに形成された開口部５９５Ａ、５９５Ｂ、及び５９５Ｃを有する。開口部５９５Ａ、５９５Ｂ、及び５９５Ｃは、凹部への基盤５１０の入口より小さな直径である。凹部５８８Ａ及び５８８Ｂは、凹部の中央が同じ平面に配置されるように並んで配置される。凹部５８８Ｃは、凹部５８８Ａ及び５８８Ｂの下に配置される。凹部５８８Ｄは、駆動軸１９０をその中で支持する。凹部５８８Ｄは、開口部のない、一般に堅い表面５９１Ｄを含む。凹部５８８Ｄは、凹部５８８Ａ及び５８８Ｂより下で、かつ凹部５８８Ｃより上にある。凹部５５８Ａ、５５８Ｂ、及び５５８Ｃは、概ね円形である。
【００６３】
ベアリング２２３、２２５、２２７は、各々、凹部溝２２８を含む。凹部溝２２８は、ギアに結合するベアリングが密閉されるように、密閉部（図示せず）を受け入れる。限定しない例として、密閉部（図示せず）はＯリングでもよい。ベアリング２２３、２２５、２２７は、各々、ベアリングの両サイド上に凹部溝を有し、各凹部で密閉部をその中で支持する。
【００６４】
特に、図５Ａを参照すると、基盤５１０は、周辺部５７２の周囲に連続する側壁棚を含む。側壁棚は、図１５に明示されるように、当接して係合する配置で、第２ギア筐体部２１５に係合するフランジ５７５を含む側壁棚セグメント５７０、５７０’、５７０’’、及び５７０’’’を含む。側壁棚セグメント５７０、５７０’、５７０’’、及び５７０’’’は、第１及び第２ギア筐体部２１３、２１５を一緒に固定するための留め具アタッチメント（図示せず）のための孔５７８を備える。孔５７８は、密閉ギアチャンバ２１６の側面にある。第１及び第２ギア筐体部２１３、２１５が固定されると、フランジ５７５内の領域は、密閉ギアチャンバ２１６の役目を果たす。側壁棚セグメント５７０’’は、基盤端５６０全体に延設され、孔５７９を含む。孔５７９は、ＤＤライン１４０及び／又はエアライン１４１を受けるために構成される。理解できるように、少なくとも１つのＤＤライン１４０は、密閉ギアチャンバ２１６に対して外側又は外部の場所で密閉ギア筐体２０５に取り付けられる。側壁棚セグメント５７０’’’は、切頭頂端５６３全体に延設される。一実施形態において、少なくとも１つのＤＤライン１４０及び少なくとも１つのエアライン１４１は、双方とも孔５７９に受け入られる。それにもかかわらず、エアライン１４１は、孔５７８のどれを通してもよい。孔５７９は、消毒剤又はエアの挿入のための送達ポートの役目を果たしてもよい。カプラ２５９は、孔５７９、６７９に連結され、消毒剤又はエアは、カプラ２５９を通してブラシカバー１８４に給送される。
【００６５】
孔５７９、６７９は、単一外部送達ポートを形成するために配設される。送達ポートに関して文言「外部」は、密閉ギアチャンバ２１６の外部であることを定義する。単一外部送達ポートは、少なくとも１つ以上の送達ポートが少なくとも１つのＤＤライン１４０からの消毒剤のためである２つ以上の外部送達ポートで置換され得る。あるいは、２つ以上の送達ポートは、少なくとも１つのＤＤライン１４０からの消毒剤、あるいは少なくとも１つのエアライン１４１からの空気をそれぞれ出力する。更に、２つ以上の外部送達ポートは、多重消毒剤ライン及び／又は多重エアラインの組み合わせに連結されてもよい。２つ以上の外部送達ポートは、頂端５６５の領域に配設された孔５７９、６７９に近接して配置される。
【００６６】
特に、図５Ｂを参照すると、一実施形態において、外側は、ブラシカバー１８４内に消毒剤が溢れ出すことを可能となるよう構成される。孔５７９を通してブラシカバー１８４に流入されるいくらかの消毒剤は、基盤５１０及び表面５９１Ａ、５９１Ｂ、５９１Ｃに密着する。加えて、ブラシカバー１８４に流入される消毒剤のいくらかは、ブラシカバー１８４内の表面に向かって、回転するブラシによって叩きつけられる。ゆえに、密着している消毒剤は、突出している凹部５８８Ａ、５８８Ｂ、５８８Ｃ及び５８８Ｄの周りを下に向かって重力によって流れ落ちる。
【００６７】
再び、図５Ａに戻ると、第１ギア筐体部２１３は、概ね、準三角形状輪郭を有する。準三角形状輪郭は、基盤端５６０及び切頭頂端５６３を含み、基盤端５６０は、丸角部５６１、５６２を含む。基盤端５６０は、上部側ＴＳに向けられる。側壁棚セグメント５７０、５７０’は、基盤端５６０から切頭頂端５６３まで曲げられる。切頭頂端５６３は、下部側ＵＳに向けられる。頂端５６３の角部５６７、５６８は、丸くされる。
【００６８】
チャンバ２１６は、基盤端５６０の丸角部５６１、５６２を形成する、並んだ２つの対称円形チャンバ領域ＣＡ、ＣＡ’を備えている。２つの対称円形チャンバ領域ＣＡ、ＣＡ’は、各々、凹部５８８Ａ、５８８Ｂを含み、チャンバ２１６内の凹部５８８Ａ、５８８Ｂの開口部からフランジ５７５に延設される基盤５１０のその部分を含む。丸角部５６１、５６２の湾曲は、円弧セグメントを含む。２つの対称円形領域ＣＡ、ＣＡ’は、頂端５６５を形成するために僅かに重なっている。チャンバ領域の円形湾曲は、頂端５６５で途切れる。凹部５８８Ａとともにチャンバ領域ＣＡ側から始めて、チャンバ領域ＣＡ’の方へ移動すると、チャンバ領域ＣＡの円形湾曲は、頂端５６５として中断し、頂端５６５の輪郭を進む。チャンバ領域ＣＡ’は、頂端５６５で始まり、円形湾曲に沿って凹み５７６’に達するまで進み、凹み５７６’でフランジ５７５がチャンバ２１６の方へ内側に湾曲する。凹み５７６’は孔５７８を含む。凹み５７６’は、棚セグメント５７０’の概ね直線的に傾斜した輪郭へ移行するための円弧セグメントとしての役目を果たす。棚セグメント５７０’は、孔５７８に適合するため、チャンバ２１６内に突き出て広がった領域を有する。チャンバ領域ＣＡの丸角部５６１の円弧セグメントの始まりは、凹み５７６に対峙して、直径に沿って、凹み５７６に近接して一体化される。同様に、凹み５７６は、棚セグメント５７０の概ね直線的に傾斜した輪郭へ移行するための円弧セグメントとしての役目を果たす。棚セグメント５７０は、孔５７８に適合するため、チャンバ２１６内に突き出て広がった領域を有する。棚セグメント５７０、５７０’は、各々、他の孔５７８に適合するために、チャンバ２１６内に突き出ている領域を広げる第２の凹みを含む。フランジ５７５がいくつか凹みを含んでいるチャンバ２１６の輪郭を辿ることで、孔及び留め具は、チャンバ２１６の外側に位置することになる。
【００６９】
一実施形態において、２つの対称円形チャンバ領域ＣＡ、ＣＡ’は、頂端５６５の間際で実質的に重なっている。
【００７０】
頂端５６５は、ギア、しかるに回転するブラシに向かう方向にチャンバ２１６内で延設されるように構成される。頂端５６５は、逆回転ブラシ１８６Ａ、１８６Ｂの重なる点上に直接消毒剤噴射を配置する場所に孔５７９を提供する。乳頭が、ブラシ１８６Ａ、１８６Ｂの上からブラシ１８６Ａ、１８６Ｂの間に案内されると、消毒剤１２３ａは、乳頭に直接、かつ中央にアクセスする。ゆえに、乳頭に対して消費される消毒剤１２３ａの量は最小となる。
【００７１】
孔５７９は、密閉ギアチャンバ２１６の外側又は隣接した場所に形成されている。ゆえに、ＤＤラインの破壊や、ＤＤラインの漏出から漏出しているいかなる消毒剤も、内蔵密閉ギアチャンバ２１６に浸み込むことはない。密閉ギアチャンバ２１６は、チャンバ２１６の外側又は隣接した場所に、第１及び第２筐体部２１３、２１５を一緒に固定するために、外側壁棚（棚セグメント５７０、５７０’、５７０’’、及び５７０’’’）に囲まれている。ゆえに、留め具及び孔５７８は、チャンバ２１６内への残屑及び消毒剤の侵入に対するアクセスポイントを提供しない。チャンバ２１６内の各部は、図１５に示され得る。
【００７２】
丸角部５６８の湾曲は、棚セグメント５７０’上の凹みから始まり、切頭頂端５６３に関連した凹みまでの円弧セグメントを含む。角部５６８の円弧セグメントは、円弧セグメントに沿って凹部３８８Ｃの湾曲を辿る。
【００７３】
図６Ａ及び図６Ｂは、第２ギア筐体部２１５の第１及び第２側面図である。第２ギア筐体部２１５は、基盤６１０を含む。第２ギア筐体部２１５の周囲輪郭は、第１ギア筐体部２１３の周囲輪郭を辿る。基盤６１０は、周囲６７２の周囲に連続する側壁棚を含む。第２ギア筐体部２１５の側壁棚は、側壁棚セグメント６７０、６７０’、６７０’’、及び６７０’’’を含む。側壁棚は、当接して係合する配置で、第１ギア筐体部２１３のフランジ５７５と係合する周囲溝６７５を含む。一実施形態において、第２ギア筐体部２１５に対する第１ギア筐体部２１３の係合結合は密閉される。限定しない例として、係合結合は、図１５に明示されるように、周囲溝６７５内に嵌め込まれる密閉部又はガスケット２１４を含む。ガスケット２１４は、密閉ギア筐体を漏洩防止とする、ゴム、プラスチック、又は他の素材で形成される。ガスケットは、溝６７５の形状を辿る輪郭を有する。
【００７４】
側壁棚６７０、６７０’、６７０’’、及び６７０’’’は、第１及び第２ギア筐体部２１３、２１５を一緒に固定するために、留め具のアタッチメント（図示せず）のための孔６７８を備えている。理解できるように、孔６７８は、第１ギア筐体部２１３の孔５７８に合うように配置される。孔６７８は、密閉ギアチャンバ２１６の外側にある。周囲溝６７５内の領域は、第１及び第２ギア筐体部２１３、２１５が固定されると、密閉ギアチャンバ２１６の領域及び容積を完成させる役目を果たす。側壁棚セグメント６７０’’’は、基盤端６６０全体に延設され、孔６７９を含む。孔６７９は、ＤＤライン１４０を受け入れるために構成されている。第２ギア筐体部２１５の孔６７９は、第１ギア筐体部２１３の孔５７９に合うように配設される。側壁棚エレメント６７０’’’は、切頭頂端６６３全体に延設される。
【００７５】
特に、図６Ａを参照すると、第２ギア筐体部２１５の内側は、複数の凹部６８２によって囲まれた中央開口部６８３を含むモータ取付ハブ６８０を含む。凹部６８２は、図６Ｂでより詳細に説明するように、基盤６１０の平面を越えて広がる深さを有する。複数の凹部６８２は、ネジを切られている。文言「中央開口部」に係る文言「中央」は、中央にあるという位置を表すものではない。
【００７６】
特に、図６Ｂを参照すると、モータ取付ハブ６８０は、基盤６１０の平面を越えて突出するリング６８８を含む。リング６８８は、中央開口部６８３を形成するための開口部を有する。各凹部６８２の末端部は、複数の孔６８４を生成するためにそこに形成された開口部を有する。各凹部６８２は、基盤６１０から始まってそこから延設される盛り上がった本体によって作成される。各凹部６８２は、その中に孔６８４を含む。凹部６８２は、中央開口部６８３の周囲に等間隔になっている。モータ取付ハブ６８０は、密閉ギア筐体２０５にモータ２３８の据え付け又は取り付けを可能にする。凹部６８２は、留め部（図示せず）の頭部がそこに嵌め込まれるように、座ぐり穴でもよい。
【００７７】
図１５に見られるように、第１ギア筐体部２１３の基盤５１０と第２ギア筐体部２１５の基盤６１０との間に、ギャップが設けられる。ギャップは、内蔵密閉ギアチャンバ２１６の部品である。ギア１８８Ａ、１８８Ｂ、１８８Ｃ、及び１８８Ｄは、第１ギア筐体部２１３の基盤５１０と第２ギア筐体部２１５の基盤６１０との間のギャップに収容される。ベアリング２２３、２２５、及び２２７は、ベアリング２２３、２２５、及び２２７が、各々、凹部５８８Ａ、５８８Ｂ、及び５８８Ｃに嵌め込まれるか、着座されるように、それぞれギア鍔１２７５の周囲のギア１８８Ａ、１８８Ｂ、及び１８８Ｃに取り付けられる。第２ギア筐体部２１５は、凹部６１６、６１７、及び６１９を含む。一実施形態において、各ギアの穿孔１２５２（図１４）は、各端部に開口している。結局、ブラシ１８６Ａ、１８６Ｂ、及び１８６Ｃの末端部は、各々、穿孔１２５２（図１４）の開口端を通り、第１及び第２ギア筐体部２１３、２１５が当接して係合されてまとめられると、凹部６１６、６１７、及び６１９は、ブラシ末端部を受け入れて支持する。凹部６１６、６１７、及び６１９は、乳頭の洗浄の間、残屑と他の素材からギア筐体２０５を密閉するために閉ざされる。一実施形態において、第２ギア筐体部２１５は、第２筐体部２０９内の空洞から密閉される。
【００７８】
図３Ａ、及び図９を参照すると、筐体２０５が筐体部２０９の前方部２２１の内部の空洞内に強固に固定されるように、前方部２２１は、密閉ギア筐体２０５の複数の孔５７８、６７８に合うように配置するよう構成された複数の留め具部２４０を含む。
【００７９】
図７を参照すると、携帯型アプリケーター１２６の筐体部２０９に挿入された密閉ギア筐体２０５の端部の斜視図が示されている。前方部２２１の第１末端部に近い上部側ＴＳは、光源１６０の設置のために光保持部２２４を備えている。
【００８０】
光源１６０は、照明ソケット２６０と該照明ソケット２６０に連結する照明素子２６２を備えている。照明素子２６２は、発光ダイオード（light emitting diode；ＬＥＤ）、電球、又は他の照明器具であってもよい。具体的に、照明ソケット２６０は、上部側ＴＳに対してある角度をなすホルダーで保持される。光源１６０は、消毒剤又は空気の外部送達ポートとして配置され役目を果たす、孔５７９及び孔６７９に合うように配置される。ゆえに、乳頭がブラシカバー１８４とブラシ１８６Ａと１８６Ｂの間に挿入されると、乳頭は、迅速な挿入、洗浄、及び／又は乾燥を容易にするために直接照らされる。加えて、光源１６０による照射は、洗浄サイクルの間に消毒され、及び又は乾燥サイクルの間に乾燥される乳頭の領域に直接適用される。ゆえに、光源１６０によって照射されている乳頭領域について、残屑又は汚染の除去が、より簡単に、かつ迅速に視覚的に検証される。
【００８１】
洗浄サイクルの間、アプリケーター１２６は、消毒剤が乳頭外周の辺りの３６０°に送達されるように、乳頭の周りを回転する。アプリケーター１２６が回転しているとき、領域に対する、光源１６０及び送達ポート（すなわち、孔５７９、６７９）がオペレータによって視覚的に検証される。乳頭領域からの残屑又は汚染の除去する素早さが決定され、オペレータが洗浄のために次の領域へより速く移動する。ゆえに、乳頭又は乳頭領域が消毒剤を受ける時間が短縮される。加えて、乾燥サイクルの間、オペレータの素早さは、乳頭領域表面が乾燥することを決定し、オペレータの素早さは、乾燥するために次の領域に移動する。ゆえに、乳頭又は乳頭領域が空気の流れを受ける時間が短縮される。
【００８２】
光源１６０は、統合ケーブル１９８内の電気ライン１９６から電力を給電される。ゆえに、光源１６０は、スイッチ２３２の起動（押下）に基づいて、ＯＮ／ＯＦＦされる。
【００８３】
図７に示すように、密閉ギア筐体２０５は、設置されると、前方部２２１から（又は前方部２２１の外に）突き出る。密閉ギア筐体２０５は、筐体部２０９より小さく、かつブラシカバー１８４より小さい、直径又は周囲輪郭を有する。より詳細には、密閉ギア筐体２０５が設置されると、第１ギア筐体部２１３は、前方部２２１の外に延長される。第２ギア筐体部２１５の側壁棚セグメント６７０、６７０’、６７０’’、及び６７０’’’は、前方部２２１の前方端／前方エッジ２３４（図８）と基本的に同一平面上である。
【００８４】
ブラシ１８６Ａ、１８６Ｂ、及び１８６Ｃは、ギア１８８Ａ、１８８Ｂ、及び１８８Ｃに連結された末端部の反対側の末端部７２２Ａ、７２２Ｂ、及び７２２Ｃを含む。末端部７２２Ａ、７２２Ｂ、及び７２２Ｃは、図７及び図９に明示されるように、これに対応するベアリング７０２、７０４、及び７０６に連結される。ブラシ１８６Ａ、１８６Ｂ、及び１８６Ｃのさらなる詳細については、図１３Ａ、図１３Ｂ、及び図１４で説明する。理解できるように、図９は、密閉ギア筐体を取り除いた、ブラシとギアの端部の斜視図である。密閉ギア筐体は、図９から取り外されているので、密閉チャンバ２１６内のギアとベアリングが見ることができる。
【００８５】
ブラシカバー１８４は、設置されると、第１ギア筐体部２１３がブラシカバー１８４の空洞内に延びるように、第１ギア筐体部２１３上をスライド又はスリップする。一実施形態において、ブラシカバー１８４の部分が、ブラシカバー１８４を支持する第１ギア筐体部２１３の周囲に並置される。
【００８６】
図８を参照すると、第１ギア筐体部を取り除いた、筐体部２０９に挿入された密閉ギア筐体２０５の端部の斜視図が示されている。モータ２３８（図３Ａ、図３Ｂ、図４）は、第２ギア筐体部２１５の後ろ又は後方の、アプリケーター１２６の筐体部２０９内に配置されている。モータ２３８は、ブラシ１８６Ａ、１８６Ｂ、及び１８６Ｃを回転させるために、ギア１８８Ａ、１８８Ｂ、及び１８８Ｃに有効に結合されている。モータ２３８は、ギア１８８Ｄの開口部１９１を通して挿入される駆動軸１９０を含み、モータ２３８及び駆動軸１９０は、ギア１８８Ａ、１８８Ｂ、１８８Ｃ、及び１８８Ｄと直接駆動接続である。ギア１８８Ｄは、複数のギア１８８Ａ、１８８Ｂ、１８８Ｃ、及び１８８Ｄの中央ギアであってよい。ギア１８８Ａ、１８８Ｂは、逆回転ギアである。ギア１８８Ｃは、下部ギアである。中央ギア（すなわち、ギア１８８Ｄ）は、駆動軸１９０によって逆回転ギアの１つに直接トルクを提供するために、一対の逆回転ギア（すなわち、ギア１８８Ａ、１８８Ｂ）に連結される。下部ギア（すなわち、ギア１８８Ｄ）は、中央ギアの下で連結され、中央ギアが駆動軸１９０によって下部ギアに直接トルクを提供するように、中央ギアに直接連結される。
【００８７】
ギアについての文言「中央」は、中央にあるという位置を表すものではない。その代わりに、「中央」は、ギア１８８Ｄが、モータ２３８の駆動軸１９０に直接連結されることによってトルクを起こすということを示す。
【００８８】
一実施形態において、モータ２３８は２４ＶのＤＣモータである。しかしながら、モータ２３８は、モータがアプリケーター筐体１２７内に収容することが可能であり、ブラシを駆動するギアに有効に連結できるのであれば、いかなる特定のモータに限定されない。
【００８９】
一実施形態において、モータ２３８のサイズ、及び重量は、人間工学的な理由で選ばれてもよい。限定されない例として、アプリケーター１２６がオペレータによって持ち上げられることができ、乳頭を洗浄するために搾乳室内で作動できるように、モータは軽量であってもよい。
【００９０】
一実施形態において、密閉ギア筐体２０５は、密閉され、かつプラスチックのような軽量の材料から形成されてもよい。加えて、密閉ギア筐体２０５は、軽量の材料から形成された１つ以上のギアを収容するように構成されてもよい。密閉ギア筐体２０５は、乳頭を洗浄している間、残屑が筐体に入ることを防止し、かつ、ギアのための潤滑油を含むように構成されてもよい。他の実施形態において、ギア１８８Ａ、１８８Ｂ、１８８Ｃ、１８８Ｄは、例えば、自滑性のプラスチック又はポリマー材から形成されてもよい。
【００９１】
携帯型アプリケーター１２６の構成部品に対する故障、例えば、モータ２３８の故障、１つ以上のギア１８８の故障、１つ以上のブラシ１８６の故障、スイッチ２３２の故障、及び／又はアプリケーター筐体１２７の１つ以上の部分の破壊などの場合には、携帯型アプリケーター筐体１２７は、柔軟なケーブル１９８から取り外すことが可能である。その後、取り外された携帯型アプリケーター１２６は、アプリケーター１２６の１つ以上の構成部品への修復のため、遠隔サイトに輸送されるか、又は、部品が例えばリサイクルされてもよい。
【００９２】
一実施形態において、消毒剤と電気信号は、アプリケーターの基盤のコネクタを無視して、機械強度を有する固定ケーブルを通して送達されてもよい。このような実施系形態において、コネクタは、水しぶき、不測の切断、及び誤用から離してコネクタを保持するために、アプリケーターから距離をおいて配置される。
【００９３】
図１０Ａ及び図１０Ｂは、携帯型アプリケーター１２６のブラシカバー１８４の前端部と後端部の斜視図である。ブラシカバー１８４は、その中に形成された複数の凹部１０１２Ａ、１０１２Ｂ、及び１０１２Ｃを有する端部壁１０１０を有する。端部壁１０１０は、ブラシカバー１８４の第１末端部と一致する。複数の凹部１０１２Ａ、１０１２Ｂ、及び１０１２Ｃは、端部壁１０１０の平面を通って延設して突出する。複数の凹部１０１２Ａ、１０１２Ｂ、及び１０１２Ｃは、端部壁１０１０の外側で閉じている。
【００９４】
数の凹部１０１２Ａ、１０１２Ｂ、及び１０１２Ｃは、図７及び図９に明示されているように、それぞれブラシ１８８Ａ、１８８Ｂ、及び１８８Ｃの末端部７２２Ａ、７２２Ｂ、及び７２２Ｃを、ベアリング７０２、７０４、及び７０６に対応させて、その中で抱きかかえるように構成される。一実施形態において、複数の凹部１０１２Ａ、１０１２Ｂ、及び１０１２Ｃは、第１凹部空洞部１０１３Ａと第２凹部空洞部１０１３Ｂを備えている段階状の凹部空洞を備えている。第１凹部空洞部１０１３Ａの外周は、第２凹部空洞部１０１３Ｂの外周より小さい。第１凹部空洞部１０１３Ａは、ブラシ１８８Ａ、１８８Ｂ、又は１８８Ｃの１つの末端部７２２Ａ、７２２Ｂ、又は７２２Ｃを受け入れるために必要な大きさにされる。第２凹部空洞部は、ベアリング７０２、７０４、又は７０６を受け入れるために必要な大きさにされる。
【００９５】
ブラシカバー１８４は、密閉ギア筐体２０５と筐体部２０９の準三角形状輪郭を辿る準三角形状輪郭を有する。ブラシカバー１８４の準三角形状輪郭は、基盤端１０６０と頂端１０６３を含んでもよい。基盤端１０６０は、丸角部１０６１、１０６２を含む。ブラシカバー１８４の準三角形状輪郭は、基盤端１０６０から頂端１０６３まで曲げられた側壁１０７０、１０７０’を含む。基盤端１０６０は、上部側ＴＳとなるように構成され、頂端１０６３は、アプリケーター筐体１２６の下部側ＵＳの方向に向かうよう構成される。
【００９６】
ブラシカバー１８４は、筐体部２０９の前方末端部に接するために必要な大きさに開口された第２末端部１０２０を含む。ブラシカバー１８４の上部側ＴＳは、図１０Ｂに明示されるように、乳頭アクセスポート１０３０を含む。加えて、ブラシカバー１８４の下部側は、出口ポート１０４０を含む。出口ポート１０４０は、ブラシカバー１８４の下部側ＵＳから側壁１０７０まで延設されている。ブラシ１８６Ｃの部分は、出口ポート１０４０を通して延設される。出口ポート１０４０は、残屑及び消毒剤が重力の下、アプリケーター１２６を出ることを可能にする。
【００９７】
第２末端部１０２０への近傍において、ブラシカバー１８４は、少なくとも１つのピラー１０７５を含む。一実施形態において、複数のピラー１０７５がある。限定しない例として、側壁１０７０は、少なくとも１つのピラー１０７５を含み、側壁１０７０’は、少なくとも１つのピラー１０７５を含む。少なくとも１つのピラー１０７５は、ストラップ、紐（ｔｉｅ）、又は係留部１２８がブラシカバー１８４のピラーを、筐体部２０９のピラーに固定することを可能にする長さを有する。代替の実施形態において、筐体部２０９にブラシカバー１８４を結束する他の手段が用いられてもよい。
【００９８】
一実施形態において、ブラシカバー１８４及び筐体部２０９は、ヒンジ（図示せず）によって１つの位置でヒンジ式に連結されても、別々の位置に固定されてもよい。
【００９９】
ピラー１０７５は、シャフト部１０７６とヘッド部１０７８を備える。シャフト又はポスト部１０７６は、側壁１０７０に連結されるか、一体化される１つの末端部を有する。シャフト又はポスト部１０７６は、ヘッド部１０７８に連結されるか、一体化される他の末端部を有する。シャフト又はポスト部１０７６の外周は、ヘッド部１０７８の外周より小さくてもよい。一実施形態において、ストラップ、紐（ｔｉｅ）、又は係留部１２８は、ヘッド部１０７８の下、シャフト又はポスト部１０７６に固定される。ヘッド部１０７８は、ストラップ、紐（ｔｉｅ）、又は係留部１２８がシャフト又はポスト部１０７６から滑り落ちることから防ぐ。
【０１００】
加えて、携帯型アプリケーター１２６のいくつかの構成部品が機能しないか、修復を要求するならば、携帯型アプリケーター１２６は、ケーブル１９８から切り離され、利用できる在庫があるならば、アプリケーター１２６は交換されてもよい。取り外されたアプリケーターは、現場で修理されてもよいし、修復のために販売元に戻されてもよい。
【０１０１】
図１２は、ネジが切られたギアアセンブリ１２５０の概略図を示す。図１３Ａ、図１３Ｂ、及び図１４は、ブラシ及びネジが切られたギアアセンブリを示す。１つ以上のギアは、部品とギアとを一致に連結させるために、外側にネジが切られた部品を受け入れるための内側にネジが切られた中央穿孔を含む。１つ以上のサイクル（洗浄又は乾燥）の間、ギアがギアを部品（ブラシ）上に固定するために回転するのと同じ方向に、あるいは部品（ブラシ）が部品をギアに固定するために回転するという反対方向に、ギアは回転する。このように、ギアは動作している間回転し、それは、部品を一緒に少なくとも一点に連続的に締め付ける方向に回転する。
【０１０２】
従来技術、この部品のカップリング、ギア穿孔及び部品シャフトの合っている幾何学的な形状を含む；しかしながら、時間外、ギア及び部品の間のこれらの位置のインターフェースは、摩耗に始まる。この摩耗は、砂、汚物、土などを含む残屑に対するある程度のためである。結局、この領域、及び／又はインターフェースの接点にアクセスする。インターフェースがすり減ると、回転の部品（すなわち、ブラシ）の軸が、ぐらつき始めるギア及び部品の軸にもはや整列配置されなくなり、結局、機能しなくなる。下記に述べられた、ギア及び回転する部品の間のネジが切られた噛み合わせは、ギアがギアと部品（ブラシ）を締め付ける方向に回転すると、ギア及び部品（ブラシ）のインターフェースでの摩耗を最小にした。ギア及び部品（ブラシ）の間のインターフェースは、残屑の侵入を最小にする。
【０１０３】
上述したネジが切られたギアアッセンブリは、様々なタイプの部品、構成部品、及び機械で用いられる一方、ここでは、一例として、泌乳動物の乳頭を洗浄するためにシステムの携帯型アプリケーター１２６（図１）に関して述べられる。図１２を参照すると、携帯型アプリケーターのギアアセンブリ１２５０は、アプリケーター筐体、及び、具体的に密閉ギア筐体内に配置された、ギア１２８８Ａ、１２８８Ｂ、１２８８Ｃ、及び１２８８Ｄを含む。それぞれのギア１２８８Ａ、１２８８Ｂ、及び１２８８Ｃは、アプリケーターのブラシ１２８６Ａ、１２８６Ｂ、及び１２８６Ｃを回転可能にギアに取り付けるために、ネジが切られ、センタリングされたベアリング１２５２（図１４）を含む。ブラシ１２８６Ａ、１２８６Ｂ、及び１２８６Ｃは、一定の比率で描かれておらず、回転のより良い具体例方向の目的のために、実際より小さな直径で示されている。ギア１２８８Ｄは、第１方向１２６４にギア１２８８Ｄを回転させるモータ２３８（図１）に回転可能に連結される。更に、図１２に示されるように、ギア１２８８Ｄは、他のギア１２８８Ａ、１２８８Ｂ、及び１２８８Ｃとの伝達を駆動し、ゆえに、ギア１２８８Ａ、１２８８Ｃは、ギア１２８８Ｄの第１方向１２６４とは反対である、それぞれの第１方向１２６６に回転する。
【０１０４】
更に、図１２に示されるように、ギア１２８８Ａの外周歯１２７４（図１３Ａ及び図１３Ｂ）は、ギア１２８８Ｂの外周歯１２７４とかみ合い、ゆえに、ギア１２８８Ｂは、ギア１２８８Ａの第１方向１２６４と反対である、第１方向１２６６に回転する。ギア１２８８Ｃの外周歯１２７４は、ギア１２８８Ｄの外周歯１２７４とかみ合う。したがって、ギア１２８８Ｄの回転の間、ギア１２８８Ｄは、ギア１２８８Ｂにトルクを伝えることになる。ギア１２８８Ｂは、歯を連結することによってギア１２８８Ａにトルクを伝える。ギア１２８８Ｃの外周歯１２７４は、ギア１２８８Ｄの外周歯１２７４とかみ合う。それ故に、ギア１２８８Ｄが回転すると、同時に、ギア１２８８Ｂ、１２８８Ｃの双方がそれらにトルクを伝えることになる。
【０１０５】
ギアアセンブリ１２５０の作動の間、ギア１２８８Ｂ、１２８８Ｃは、それらのそれぞれの第１方向１２６６に回転し、第１方向１２６６と同じ方向に回転させるべく、ブラシ１２８６Ｂ、１２８６Ｃにトルクを伝えるために、それぞれ、ブラシ１２８６Ｂ、１２８６Ｃと機械的な駆動伝達にある。加えて、ギアアセンブリ１２５０の作動の間、ギア１２８８Ａは、そのそれぞれの第１方向１２６４に回転し、それぞれの第１方向１２６４に回転させるべく、ブラシ１２８６Ａにトルクを伝えるために、ブラシ１２８６Ａと機械的な駆動伝達にある。
【０１０６】
以下により詳細に説明するように、矢印１２６０、１２６２は、ブラシ１２８６Ａ、１２８６Ｃ、及び１２８６Ｂが、ギアと対応するブラシとを固定するために互いに回転する、それぞれの方向を表す。図示のように、ギア１２８８Ａ、１２８８Ｂ、及び１２８８Ｃは、作動中、それぞれ、ブラシ１２８６Ａ、１２８６Ｂ、及び１２８６Ｃが２つの部品を一緒に連結するために回転する方向とは反対である、一方向に回転する。つまり、ギア１２８８Ａ、１２８８Ｂ、及び１２８８Ｃは、作動中、それぞれのギアとブラシを一緒に締め付ける方向に回転する。
【０１０７】
図１３Ａ、及び図１３Ｂは、ブラシ・シャンクから抜かれた、又は装着されたギアの斜視図を示す。図１４は、ギアに回転可能に取り付けられたブラシとともに、図１３Ｂのギアアセンブリの断面図を示す。ブラシ１２８６Ａ、１２８６Ｂ、及びギア１２８８Ａ、１２８８Ｂは、基本的に同一であるので、ブラシ１２８６Ａ及びギア１２８８Ａのような１つだけについて、いくつかの相違点に注意して詳細に説明される。ブラシ１２８６Ｃは、ブラシ１２８６Ａ、１２８６Ｂと同様である。しかしながら、ギア１２８８Ｃは、サイズを除いて、ギア１２８８Ａ、１２８８Ｂと概ね同様である。
【０１０８】
ブラシ１２８６Ａは、ブラシ軸１２９０を備えている。ブラシ軸１２９０は、そこから放射している複数のブラシ毛１２９２を有する中央軸部１２９１を含む。中央軸部１２９１は、フランジ１２９４Ａ、１２９４Ｂのそれぞれで終結している第１及び第２末端部を有する。ブラシ軸１２９０は、更に、フランジ１２９４Ａから突出している第１軸端１２９５を備えている。一実施形態において、軸端１２９５は、中央軸部１２９０の外周より小さい外周を有する。ブラシ軸１２９０は、更に、フランジ１２９４Ｂから突出している第２軸端１２９６を備えている。軸１２９０は、第１軸端１２９５、フランジ１２９４Ａ、中央軸部１２９０、フランジ１２９４Ｂ、第２軸端１２９６、及び端部ブラシフランジ１２９７を備えている。端部ブラシフランジ１２９７は、フランジ１２９４Ｂの反対側の第２軸端１２９６の他の末端部に位置する。
【０１０９】
ブラシ１２８６Ａは、外側ネジ切り部１２５８を有する軸部１２５６を含む。軸部１２５６は、端部ブラシフランジ１２９７に近接して延設される。図１３Ａにおいて、軸部１２５６の部分が示されており、ここでは、軸部１２５６が、ギア１２８８Ａに部分的に通されている。図１３Ｂにおいて、軸部１２５６は、軸部１２５６がギア１２８８Ａ内に通されているので容易に見られない。一実施形態において、軸部１２５６は、ギア１２８８Ａに通されてもよい。例えば、ギア鍔１２７５の上端と端部ブラシフランジ１２９７の上部表面とが、図１４に明示されるように、同じ高さであるように、端部ブラシフランジ１２９７は、ギア鍔１２７５内にちょうど嵌まる直径を有する。それ故に、端部ブラシフランジ１２９７は、ギア鍔１２７５内に嵌め込まれる。あるいは、端部ブラシフランジ１２９７は、端部ブラシフランジ１２９７の下側がギア鍔１２７５の上端で停止させられる直径を有してもよい。
【０１１０】
ギア１２８８Ａは、ディスク形状部１２７２を備え、ディスク形状部１２７２は、円周方向に配置され、ディスク形状部１２７２の外周に一体化された複数の放射歯１２７４を有する外周を有する。ギアの歯１２７４は、ギアに連結される歯がかみ合うか、挟まれるために、間隔を空けている。ディスク形状部１２７２の中央は、孔外周とギア鍔１２７５を有する穿孔１２５２を有する。ギア鍔１２７５は、穿孔１２５２の開口（第１）端で孔外周を囲む内周を有する。穿孔１２５２の他（第２）端は、周囲の条件から閉じられている。ギア鍔１２７５の内周面はネジが切られている。穿孔１２５２は、ギア及びブラシの間の接点を密閉するために閉じられている。
【０１１１】
ギア鍔１２７５を有する側と反対側のディスク形状部１２７２の側は、へこんでいる。例えば、歯１２７４を含まないディスク形状部１２７２の領域は、へこんでいてもよい。
【０１１２】
端部ブラシフランジ１２９７は、端部ブラシフランジ１２９７がギア鍔１２７５の上端に地対地で接触しているとき、穿孔１２５２を密閉する際にアシストする。それにもかかわらず、端部ブラシフランジ１２９７を設置するのに、周囲の条件から穿孔１２５２を閉鎖してもよい。
【０１１３】
図１４に示すように、ギア１２８８Ａは、中央穿孔１２５２を備えている。中央穿孔１２５２は、ブラシ１２８６Ａの軸部１２５６に沿って外側ネジ切り部１２５８に対応する、穿孔１２５２の内面の長さに沿って内側ネジ切り部１２５４を含む。一実施形態において、中央穿孔１２５２は、ディスク形状部１２７２の深さの少なくとも一部とギア鍔１２７５を含む。内側ネジ切り部１２５４及び外側ネジ切り部１２５８は、台形形状の断面を有する。文言「外側ネジ切り部（external threading）」の使用は、外面（external surface）又は外面（exterior surface）上、及び周囲に形成されたネジ山として定義する。文言「内側ネジ切り部（internally threaded）」の使用は、その面に形成されたネジ山を有する内面（internal surface）として定義する。
【０１１４】
一実施形態において、ギア１２８８Ａの内側ネジ切り部は、ギア鍔１２７５の全長だけにある。ギア１２８８Ａの内側ネジ切り部は、穿孔１２５２の全長、又はギア鍔１２７５及び穿孔１２５２の全長の双方に沿ってのみある。
【０１１５】
図１４に示すように、ギア１２８８Ａの穿孔１２５２内にブラシ１２８６Ａを回転可能に取り付けるために、軸部１２５６は、穿孔１２５２に位置が合うように配置され、ブラシ１２８６Ａは、その後、軸部１２５６が穿孔１２５２に取り付けられるまで、ギア１２８８Ａの回転のそれぞれの方向１２６４と反対である方向１２６０に回転する。図１４に示される穿孔１２５２は、第２端部が閉端であるように、底部を含む。しかしながら、穿孔１２５２は、ギア１２８８Ａの全奥行又は厚さを延長してもよい。あるいは、又は、同時に、ブラシ１２８６Ｂが、その後、ギア１２８８Ｂとブラシ１２８６Ｂを一緒に固定すべく回転方向１２６２（図１２）に回転する間、ギア１２８８Ｂは、それぞれの回転方向１２６６（図１２）に回転する。
【０１１６】
ギアアセンブリ１２５０内のギア１２８８Ａ及びブラシ１２８６Ａの間のネジが切られた噛み合わせは、ギア１２８８Ａとブラシ１２８６Ａの間の摩耗と最小振動を防止するために構成され、ギアアセンブリ１２５０の作動の間、ギア１２８８Ａの回転軸１２６８とブラシ１２８６Ａの中央縦軸（又は回転軸）との間の配置を維持する。加えて、それぞれの第１方向１２６４におけるギア１２８８Ａの回転は、ギアアセンブリ１２５０の作動の間、外側ネジ切り部１２５８と内側ネジ切り部１２５４の間のネジが切られた噛み合わせを維持するように構成される。図１４に更に示すように、外側ネジ切り部１２５８及び内側ネジ切り部１２５４は、ギア１２８８Ａとブラシ１２８６Ａとの間の摩擦を最小にする十分な深さを有し、ギア１２８８Ａの回転軸とブラシ１２８６Ａの中央縦軸の間の配置を維持する。
【０１１７】
一実施形態において、ギア１２８８Ａ、１２８８Ｂ、及び１２８８Ｃ、ブラシ１２８６Ａ、１２８６Ｂ、及び１２８６Ｃの少なくとも軸部は、自滑性のプラスチック材料から形成される。ブラシ１２８６Ａ、１２８６Ｂ、及び１２８６Ｃが置き換えられる必要がある場合には、ブラシ１２８６Ａ、１２８６Ｂ、及び１２８６Ｃを、ギア１２８８Ａ、１２８８Ｂ、及び１２８８Ｃから単純にネジを回して抜いて、新しいブラシに入れ替える。一実施形態において、ギア１２８８Ａ、１２８８Ｂ、１２８８Ｃ、及び１２８８Ｄは、アセタール樹脂又は他の自滑性のプラスチックで形成されてもよい。アセタール樹脂は、デュポン社（登録商標）によって製造されて、商標名ＤＥＬＲＩＭＲで販売されている。加えて、他の構成部品、例えば、限定することなく、ベアリングは、自滑性のプラスチック材料で形成されてもよい。
【０１１８】
図１５は、切り離されたブラシカバー１８４、筐体部２０９、及び密閉ギア筐体２０５を有する携帯型アプリケーターの部分図を示す。図１５は、ギア１２８８Ａ又は１８８Ａに回転可能に取り付けられたブラシ１２８６Ａとともに、図１４のギアアセンブリの断面図を組み込んでいる。それ故に、ブラシ１２８６Ａについての更なる説明はされない。図１５において、接合接触子を有する密閉ギア筐体２０５の図が示されている。ここで、外周溝６７５は、フランジ５７５に係合し、第１ギア筐体部２１３と第２ギア筐体部２１５の間のギャップ内のギアに係合されることが示される。
【０１１９】
複数の凹部１０１２Ａは、その中に、ブラシ１２８６Ａの第１軸端１２９５、及び対応するベアリング７０２を抱きかかえることが示されている。フランジ１２９４Ａは、ブラシカバー１８４の空間の容積内に設置される。言い換えると、フランジ１２９４Ａは、凹部１０１２Ａの外側に設置される。一実施形態において、フランジ１２９４は、凹部１０１２Ａへの開口部より大きい外周を有する。
【０１２０】
図１４について予め説明したように、端部ブラシフランジ１２９７は、ギア鍔１２７５の上端及び端部ブラシフランジ１２９７の上部表面が同じ高さとなるように、ギア鍔１２７５内にちょうど嵌まる直径を有する。更に、端部ブラシフランジ１２９７及びギア鍔１２７５の上部は、凹部５８８Ａの外部表面と同一平面上にある。外部表面は、ブラシカバー１８４内の外部表面である。
【０１２１】
本発明の一定の実施形態が、本明細書で示され、記述されているが、このような実施形態は、ほんの一例として提供される。この技術分野における知識を有する者であれば、本明細書における本発明から外れることなく、多数の変形、変更、及び、置換を思いつくであろう。したがって、添付のクレームの精神及び範囲によってのみ本発明が制限されることが意図される。
【図１】
2017500039.tif 000003
【図２】
2017500039.tif 000004
【図３Ａ】
2017500039.tif 000005
【図３Ｂ】
2017500039.tif 000006
【図４】
2017500039.tif 000007
【図５Ａ】
2017500039.tif 000008
【図５Ｂ】
2017500039.tif 000009
【図６Ａ】
2017500039.tif 000010
【図６Ｂ】
2017500039.tif 000011
【図７】
2017500039.tif 000012
【図８】
2017500039.tif 000013
【図９】
2017500039.tif 000014
【図１０Ａ】
2017500039.tif 000015
【図１０Ｂ】
2017500039.tif 000016
【図１１】
2017500039.tif 000017
【図１２】
2017500039.tif 000018
【図１３Ａ】
2017500039.tif 000019
【図１３Ｂ】
2017500039.tif 000020
【図１４】
2017500039.tif 000021
【図１５】
2017500039.tif 000022
【国際調査報告】
2017500039.tif 000023